【手続補正書】
【提出日】平成16年4月8日(2004.4.8)
【手続補正１】
【補正対象書類名】明細書
【補正対象項目名】請求項１
【補正方法】変更
【補正の内容】
【請求項１】
（A-1）ポリカーボネート系樹脂と、
（Ｂ）下記平均組成式(1)で表されるアルコキシ基含有オルガノシロキサンと、
Ｒ1aＳi(ＯＲ2)bＯ(4-a-b)/2 …(1)
（式中、Ｒ1は必須成分としてアリール基を含む置換または非置換の１価炭化水素基を表し、Ｒ2は置換または非置換の１価炭化水素基を表し、Ｒ1とＲ2とは互いに同一であっても異なっていてもよい。また、０．２≦ａ≦２．７、０．２≦ｂ≦２．４、ａ＋ｂ＜３の範囲である。）
（Ｃ）アルカリ（土類）金属塩を含み、かつ
ポリカーボネート系樹脂(A-1)１００重量部に対して、アルコキシ基含有オルガノシロキサン（Ｂ）を０．０５〜１０重量部の量で、（Ｃ）アルカリ（土類）金属塩を０.０１〜３重量部の量で含むことを特徴とするポリカーボネート系難燃性樹脂組成物。
【手続補正２】
【補正対象書類名】明細書
【補正対象項目名】請求項２
【補正方法】変更
【補正の内容】
【請求項２】
（A-1）ポリカーボネート系樹脂と、
（A-2）ポリカーボネート系樹脂以外の熱可塑性樹脂と
（Ｂ）下記平均組成式で表されるアルコキシ基含有オルガノシロキサンと、
Ｒ1aＳi(ＯＲ2)bＯ(4-a-b)/2 …(1)
（式中、Ｒ1は必須成分としてアリール基を含む置換または非置換の１価炭化水素基を表し、Ｒ2は置換または非置換の１価炭化水素基を表し、Ｒ1とＲ2とは互いに同一であっても異なっていてもよい。また、０．２≦ａ≦２．７、０．２≦ｂ≦２．４、ａ＋ｂ＜３の範囲である。）
（Ｃ）アルカリ（土類）金属塩を含み、かつ
ポリカーボネート系樹脂(A-1)１００重量部に対して、アルコキシ基含有オルガノシロキサン（Ｂ）を０．０５〜１０重量部の量で、（Ｃ）アルカリ（土類）金属塩を０.０１〜３重量部の量で含むことを特徴とするポリカーボネート系難燃性樹脂組成物。
【手続補正３】
【補正対象書類名】明細書
【補正対象項目名】００１６
【補正方法】変更
【補正の内容】
【００１６】
【発明の概要】
本発明に係る難燃性樹脂組成物は、
（A-1）ポリカーボネート系樹脂と、
（Ｂ）下記平均組成式(1)で表されるアルコキシ基含有オルガノシロキサンと、
Ｒ1aＳi(ＯＲ2)bＯ(4-a-b)/2 …(1)
（式中、Ｒ1は必須成分としてアリール基を含む置換または非置換の１価炭化水素基を表し、Ｒ2は置換または非置換の１価炭化水素基を表し、Ｒ1とＲ2とは互いに同一であっても異なっていてもよい。また、０．２≦ａ≦２．７、０．２≦ｂ≦２．４、ａ＋ｂ＜３の範囲である。）
（Ｃ）アルカリ（土類）金属塩を含み、かつ
ポリカーボネート系樹脂(A-1)１００重量部に対して、アルコキシ基含有オルガノシロキサン（Ｂ）を０．０５〜１０重量部の量で、（Ｃ）アルカリ（土類）金属塩を０.０１〜３重量部の量で含むことを特徴としている。


【手続補正４】
【補正対象書類名】明細書
【補正対象項目名】００１７
【補正方法】変更
【補正の内容】
【００１７】
また本発明に係る難燃性樹脂組成物は、
（A-1）ポリカーボネート系樹脂と、
（A-2）ポリカーボネート系樹脂以外の熱可塑性樹脂と
（Ｂ）下記平均組成式で表されるアルコキシ基含有オルガノシロキサンと、
Ｒ1aＳi(ＯＲ2)bＯ(4-a-b)/2 …(1)
（式中、Ｒ1は必須成分としてアリール基を含む置換または非置換の１価炭化水素基を表し、Ｒ2は置換または非置換の１価炭化水素基を表し、Ｒ1とＲ2とは互いに同一であっても異なっていてもよい。また、０．２≦ａ≦２．７、０．２≦ｂ≦２．４、ａ＋ｂ＜３の範囲である。）
（Ｃ）アルカリ（土類）金属塩を含み、かつ
ポリカーボネート系樹脂(A-1)１００重量部に対して、アルコキシ基含有オルガノシロキサン（Ｂ）を０．０５〜１０重量部の量で、（Ｃ）アルカリ（土類）金属塩を０.０１〜３重量部の量で含むことを特徴としている。


【手続補正５】
【補正対象書類名】明細書
【補正対象項目名】００７２
【補正方法】変更
【補正の内容】
【００７２】
とこのような熱可塑性樹脂（A-2）は、ポリカーボネート系樹脂（A-1）との重量比（A-1：A-2）が９９：１〜１：９９、好ましくは３０：７０〜７０：３０の範囲にあることが望ましい。
［アルコキシ基含有オルガノシロキサン(B)］
本発明における（Ｂ）成分のオルガノシロキサンとしては、下記平均組成式で表されるアルコキシ基含有オルガノシロキサンが使用される。


【手続補正６】
【補正対象書類名】明細書
【補正対象項目名】００７８
【補正方法】変更
【補正の内容】
【００７８】
また、（Ｂ）成分であるシリコーン化合物が含有するＲ1のうち、芳香族基含有率（フェニル基含有率）が２０％以上であることが好ましい。この範囲以下であると、ポリカーボネート系樹脂中の分散性が悪く、燃焼時に芳香族同士の縮合も起こりにくくなり、燃焼効果が低下する場合がある。さらに好ましくは５０％以上である。なお、９０％以上であると、芳香族基同士の立体障害により、オルガノシロキサン分子の空間的自由度が低下し、樹脂中で自由に移動することができなくなり、顕著な難燃効果を発現できなくなる場合がある。


【手続補正７】
【補正対象書類名】明細書
【補正対象項目名】００８６
【補正方法】変更
【補正の内容】
【００８６】
本発明の難燃性樹脂組成物へ配合する（Ｂ）成分のオルガノシロキサンの量は、ポリカーボネート系樹脂(A-1)１００重量部、または（Ａ）成分がポリカーボネート系樹脂(A-1)と熱可塑性樹脂（A-2）とからなる場合には(A-1)と(A-2)との合計１００重量部に対して、０．０５〜１０重量部、好ましくは１〜８重量部の量で含まれていることが望ましい。オルガノシロキサンの量が０．０５重量部未満では難燃性を充分に付与することができず、１０重量部を越えると成形品の外観や強度に悪影響を与える。これらのオルガノシロキサンは、いずれも燃焼時には有害なガスを発生させることがない。


【手続補正８】
【補正対象書類名】明細書
【補正対象項目名】０１２５
【補正方法】変更
【補正の内容】
【０１２５】
ポリカーボネート系樹脂（A-1）、特定構造のアルコキシ基含有オルガノシロキサン（Ｂ）と（Ｃ）アルカリ(土類)金属塩とから構成される組成物は高いレベルの難燃性を有するとともに、透明性にも優れた樹脂が得られる。
また、ポリカーボネート系樹脂（A-1）とポリカーボネート系樹脂以外の熱可塑性樹脂（A-2）と、特定構造のアルコキシ基含有オルガノシロキサン（Ｂ）と、アルカリ(土類)金属塩（Ｃ）とから構成される組成物は、難燃性に優れるとともに、耐熱性、耐衝撃性及び加工性にも優れている。


【手続補正９】
【補正対象書類名】明細書
【補正対象項目名】０１２８
【補正方法】変更
【補正の内容】
【０１２８】
なお、各成分として次の化合物を使用した。
(1)ポリカーボネート系樹脂（ＰＣ）：
ビスフェノールＡのポリカーボネート：ＬＥＸＡＮ（商品名、日本ジーイープラスチックス社製）、３００℃、１．２kg荷重にて測定したメルトインデックス値が１２．３g/10分、塩化メチレン中、２５℃で測定した固有粘度０．４９dl/g、粘度平均分子量（Ｍｖ）＝２１７６０（計算値）。
(2）ＡＢＳ樹脂：
サンタック ＡＴ−０７ （商標、日本Ａ＆Ｌ（株）製）、ゴム含有量＝２０％、ＭＩ＝２．５g/10分）
(3)シリコーン：
オルガノシロキサンとして、(B-1):組成式 Ph1.1(CH3)0.6Si(OCH3)0.7O0.8(Mw=900)、(B-2):組成式 (CH3)1.0Si(OCH3)0.7O1.2(Mw=1200)を使用した。（Phはフェニル基）
(4)アルカリ(土類)金属塩：アルカリ(土類)金属塩の例として、パーフルオロブタンスルホン酸カリウム（Ｃ4Ｆ9ＳＯ3Ｋ、Bayowet C4,商標、Bayer社製）を使用した。
(5)ポリテトラフルオロエチレン（ＰＴＦＥ）：
ポリフロン Ｄ−２Ｃ（商標、ダイキン化学工業（株）製）。 水にＰＴＦＥを乳化分散させたもので、ＰＴＦＥ含有量が６０％。 なお、ポリフロン Ｄ−２Ｃは、ポリカーボネート系樹脂に対して、０．５％の量で添加されるので、実際のＰＴＦＥは、０．３％添加されたことになる。また、水は、樹脂組成物調製時に揮散する。
(6)エポキシ系安定剤：
3,4-エポキシシクロヘキシルメチル-3',4'-エポキシシクロヘキサンカルボキシレート
（セロキサイド ２０２１Ｐ、商標、ダイセル化学工業株式会社製）